(57)【要約】【課題】  花粉等のダスト類がドア開口部から車室内へ侵入することを抑制することができるダスト低減装置を得る。【解決手段】  自動車に適用されたダスト低減装置であるエアカーテン形成装置は、車体Ｂのドア開口部１２が開放されているときに、ドア開口部１２の縁部に設けられたエア吹出部２２から空気を噴出してエアカーテンＣを形成し、このエアカーテンＣによって車室の内外を仕切って車室内へのダスト類の侵入を防止する。【選択図】      図１
2006001493.tif 000002
【特許請求の範囲】
【請求項１】
車体に設けられたドア開口部の開放時に、該ドア開口部に沿って車室の内外を仕切るエアカーテンを形成するダスト低減装置。
【請求項２】
車載空調装置の送風機により送風される空気を前記ドア開口部の縁部から吹き出して前記エアカーテンを形成する、請求項１記載のダスト低減装置。
【請求項３】
車内に搭載された圧縮機の圧縮空気を前記ドア開口部の縁部から吹き出して前記エアカーテンを形成する、請求項１記載のダスト低減装置。
【請求項４】
前記圧縮機の圧縮空気を蓄える空気タンクを備え、該空気タンクの圧縮空気を前記ドア開口部の縁部から吹き出して前記エアカーテンを形成する、請求項３記載のダスト低減装置。
【請求項５】
車体におけるドア開口部の上縁を規定するピラー及びルーフサイド部に空気吹出部をそれぞれ設け、該空気吹出部から空気を吹き出して前記エアカーテンを形成する、請求項１乃至請求項４の何れか１項記載のダスト低減装置。
【請求項６】
前記ドア開口部の開閉状態に応じた信号を出力するカーテシスイッチの信号に基づいて前記エアカーテンの形成タイミングを制御する、請求項１乃至請求項５の何れか１項記載のダスト低減装置。
【請求項７】
ドアによって開閉される車体のドア開口部の縁部に沿って設けられ、空気を吹き出して車室の内外を仕切るエアカーテンを形成するエア吹出部と、
前記エア吹出部に空気を供給する空気供給装置と、
前記ドア開口部が開放しているときに、前記空気供給装置から前記エア吹出部へ空気を供給させる制御装置と、
を備えたダスト低減装置。
【請求項８】
前記空気供給装置は、車載空調装置の送風機である、請求項７記載のダスト低減装置。
【請求項９】
前記空気供給装置は、車内に搭載した圧縮機を含んで構成される、請求項７記載のダスト低減装置。
【請求項１０】
前記空気供給装置は、前記圧縮機の下流に設けられた空気タンクと、該空気タンクの下流に設けられた開閉弁とをさらに含み、前記制御装置によって前記開閉弁が制御される、請求項９記載のダスト低減装置。
【請求項１１】
前記エア吹出部は、車体におけるドア開口部の上縁を規定するピラー及びルーフサイド部にそれぞれ設けられ、下方に向けて空気を吹き出して前記エアカーテンを形成する、請求項７乃至請求項１０の何れか１項記載のダスト低減装置。
【請求項１２】
前記制御装置は、
前記ドアによる前記ドア開口部の開閉状態に応じた信号を出力するドア開閉検出器から前記ドア開口部の開放状態に対応する信号が入力されたときに、前記空気供給装置から前記エア吹出部への空気供給を行なわせ、
前記ドア開閉検出器から前記ドアの閉塞状態に対応する信号が入力されたときに、前記空気供給装置から前記エア吹出部への空気供給を停止させる、
請求項７乃至請求項１１の何れか１項記載のダスト低減装置。
【請求項１３】
車両に搭載され、車体外側に向けて空気を吹き出して乗車前の人の着衣に付着したダストを除去するエアノズルを備えた、請求項１乃至請求項１２の何れか１項記載のダスト低減装置。
【請求項１４】
車両に搭載され、車体外側に向けて空気を吹き出して乗車前の人の着衣に付着したダスト類を除去するエアノズルを備えたダスト低減装置。
【請求項１５】
前記エアノズルを、車体におけるドア開口部を開閉するドアにおける上下方向に沿う縁部に設けた、請求項１３または請求項１４記載のダスト低減装置。
【請求項１６】
前記エアノズルを、車体に対し着脱可能とし、かつ車体から離脱した状態で空気を吹出可能とした、請求項１３または請求項１４記載のダスト低減装置。
【発明の詳細な説明】
【技術分野】
【０００１】
本発明は、例えば自動車等の車両の室内における花粉等のダスト類の量を低減するためのダスト低減装置に関する。
【背景技術】
【０００２】
近年、患者が増加している花粉症の対策として、自動車の車室内への花粉侵入を防止するための車載空調装置が考えられている（例えば、特許文献１参照）。このような車載空調装置では、空調装置ダクトにおける外気導入口の下流を第１及び第２の吸気路に区分すると共に、第２の吸気路に花粉除去用フィルタを配置している。また、空調装置ダクト内には、外気導入口から吸入される外気を第１の吸気路または第２の吸気路に選択的に導くための外気切替ドアが設けられている。
【０００３】
そして、外気切替ドアは、雨滴検知センサ及び磁気検知センサからの各信号に基づいて、晴天または曇天であって花粉症の原因物質となる花粉が飛散する時期に、花粉除去用フィルタに外気を導入する位置に位置するように制御される。これにより、車載空調装置の外気導入口が花粉除去用フィルタを通過するので、この外気中の花粉が除去された清浄化エアが車室内に送り込まれ、車室内の花粉の量が低減される。
【０００４】
また、特許文献１には、上記構成に加え、空調装置ダクトにおける内気導入口の下流にも花粉除去用フィルタを配置した車載空調装置が記載されている。この構成では、外気に含まれる花粉の除去は勿論のこと、内気に含まれる花粉も有効に捕集（除去）ことができるとされている。
【特許文献１】特開平８−３１０２３０号公報
【発明の開示】
【発明が解決しようとする課題】
【０００５】
しかしながら、上記の如き従来の車載空調装置が適用された自動車では、例えば人の乗降に伴うドア開口部の開放時に、このドア開口部から花粉が侵入することを防止することができなかった。
【０００６】
本発明は、上記事実を考慮して、花粉等のダスト類がドア開口部から車室内へ侵入することを抑制することができるダスト低減装置を得ることが目的である。
【課題を解決するための手段】
【０００７】
上記目的を達成するために請求項１記載の発明に係るダスト低減装置は、車体に設けられたドア開口部の開放時に、該ドア開口部に沿って車室の内外を仕切るエアカーテンを形成する。
【０００８】
請求項１記載のダスト低減装置では、例えば乗員の乗降に伴ってドアが車体のドア開口部を開放しているときに、エアカーテンをドア開口部に沿って形成することで車室の内外を仕切る。これにより、車室外の空気中に含まれる花粉等のダスト類が、ドア開口部から車室内に侵入することが防止される。
【０００９】
このように、請求項１記載のダスト低減装置では、花粉等のダスト類がドア開口部から車室内へ侵入することを抑制することができる。
【００１０】
請求項２記載の発明に係るダスト低減装置は、請求項１記載のダスト低減装置において、車載空調装置の送風機により送風される空気を前記ドア開口部の縁部から吹き出して前記エアカーテンを形成する。
【００１１】
請求項２記載のダスト低減装置では、例えば、車載空調装置の送風機が設けられた空調用ダクトとエアカーテンの吹出部とが開閉可能に連通されている。そして、ドア開口部の開放時には、送風機の送風する空気通路がエアカーテンの吹出部（を含む）側に切り替えられ、該送風機により送風される空気にてエアカーテンが形成される。これにより、本ダスト低減装置では、専用の送風機を備えることなく、花粉等のダスト類がドア開口部から車室内へ侵入することを抑制する機能が実現される。
【００１２】
請求項３記載の発明に係るダスト低減装置は、請求項１記載のダスト低減装置において、車内に搭載された圧縮機の圧縮空気を前記ドア開口部の縁部から吹き出して前記エアカーテンを形成する。
【００１３】
請求項３記載のダスト低減装置では、車内に圧縮機が搭載されており、この圧縮機の吐出部とエアカーテンの吹出部とが連通している。そして、ドア開口部の開放時には、圧縮機が生成した圧縮空気が直接的または間接的にエアカーテンの吹出部に供給され、この圧縮空気にてエアカーテンが形成される。このように、本ダスト低減装置では、圧縮空気を生成する圧縮機を備えるため、強いエアカーテンで車室内へのダスト類の侵入を確実に防止することができる。また、エアカーテンの仕様（吹出圧、吹出速度、吹出量等）の設定が容易である。
【００１４】
請求項４記載の発明に係るダスト低減装置は、請求項３記載のダスト低減装置において、前記圧縮機の圧縮空気を蓄える空気タンクを備え、該空気タンクの圧縮空気を前記ドア開口部の縁部から吹き出して前記エアカーテンを形成する。
【００１５】
請求項４記載のダスト低減装置では、圧縮機とエアカーテンの吹出部との間に空気タンクが設けられており、空気タンクに蓄えられた圧縮空気が吹出部に供給されてエアカーテンが形成される。このため、圧縮空気の容量が確保され、所定時間に亘り十分な強さのエアカーテンを形成する（形成状態を維持する）ことができ、車室内へのダスト類の侵入を確実に防止することができる。また、ドア開口部の開放時に圧縮機を起動する必要がないので、速やかにエアカーテンが形成される。本構成のダスト低減装置は、特に、ドア開口部の開口面積が大きいミニバンやＳＵＶ等の車種に好適に適用される。
【００１６】
請求項５記載の発明に係るダスト低減装置は、請求項１乃至請求項４の何れか１項記載のダスト低減装置において、車体におけるドア開口部の上縁を規定するピラー及びルーフサイド部にエア吹出部をそれぞれ設け、該空気吹出部から空気を吹き出して前記エアカーテンを形成する。
【００１７】
請求項５記載のダスト低減装置では、ドア開口部の上縁を規定するピラー（特に、フロントピラーまたはリヤピラー等の傾斜したピラー）とルーフサイド部とにそれぞれ設けられたエア吹出部から、主に下向きに空気を吹き出してエアカーテンを形成する。このため、エアカーテンの空気流が乗降する人の顔面を直撃することがない。
【００１８】
請求項６記載の発明に係るダスト低減装置は、請求項１乃至請求項５の何れか１項記載のダスト低減装置において、前記ドア開口部の開閉状態に応じた信号を出力するカーテシスイッチの信号に基づいて前記エアカーテンの形成タイミングを制御する。
【００１９】
請求項６記載のダスト低減装置では、例えばドアの開閉状態に応じて車内灯の点消灯を制御するためのカーテシスイッチから信号が入力されるようになっており、カーテシスイッチから入力される信号がドア開口部の開放状態に対応する信号であるときにエアカーテンを形成し、カーテシスイッチから入力される信号がドア開口部のドアによる閉止状態に対応する信号であるときにエアカーテンを形成するための空気の流れを停止する。これにより、ドア開口部の開放時にのみ確実にエアカーテンが形成されて車室内へのダスト類の侵入が防止される。また、車両に搭載されている既存スイッチを利用してドアの開閉を判断するので、新たにドア開閉検出装置を設ける必要がない。
【００２０】
上記目的を達成するために請求項７記載の発明に係るダスト低減装置は、ドアによって開閉される車体のドア開口部の縁部に沿って設けられ、空気を吹き出して車室の内外を仕切るエアカーテンを形成するエア吹出部と、前記エア吹出部に空気を供給する空気供給装置と、前記ドア開口部が開放しているときに、前記空気供給装置から前記エア吹出部へ空気を供給させる制御装置と、を備えている。
【００２１】
請求項７記載のダスト低減装置では、例えば人の乗降に際してドアが車体のドア開口部を開放しているときに、制御手段が空気供給装置からエア吹出部への空気供給を行なわせる。すると、エア吹出部から吹き出される空気がエアカーテンを形成し、このエアカーテンによって車室の内外が仕切られる。これにより、車室外の空気中に含まれる花粉等のダスト類が、ドア開口部から車室内に侵入することが防止される。
【００２２】
このように、請求項７記載のダスト低減装置では、花粉等のダスト類がドア開口部から車室内へ侵入することを抑制することができる。
【００２３】
請求項８記載の発明に係るダスト低減装置は、請求項７記載のダスト低減装置において、前記空気供給装置は、車載空調装置の送風機である。
【００２４】
請求項８記載のダスト低減装置では、車載空調装置の送風機が設けられた空調用ダクトとエアカーテンの吹出部とが開閉可能なエアダクトによって連通されている。そして、ドア開口部の開放時には、送風機の送風する空気通路が開放状態のエアダクト（を含む）側に切り替えられ、該エアダクトを介して送風機により送風される空気にてエアカーテンが形成される。これにより、本ダスト低減装置では、専用の送風機を備えることなく、花粉等のダスト類がドア開口部から車室内へ侵入することを抑制する機能が実現される。
【００２５】
請求項９記載の発明に係るダスト低減装置は、請求項７記載のダスト低減装置において、前記空気供給装置は、車内に搭載した圧縮機を含んで構成される。
【００２６】
請求項９記載のダスト低減装置では、車内に圧縮機が搭載されており、この圧縮機の吐出部とエアカーテンの吹出部とが連通している。そして、ドア開口部の開放時には、圧縮機が生成した圧縮空気が直接的または間接的にエアカーテンの吹出部に供給され、この圧縮空気にてエアカーテンが形成される。このように、本ダスト低減装置では、圧縮空気を生成する圧縮機を備えるため、強いエアカーテンで車室内へのダスト類の侵入を確実に防止することができる。また、エアカーテンの仕様（吹出圧、吹出速度、吹出量等）の設定が容易である。
【００２７】
請求項１０記載の発明に係るダスト低減装置は、請求項９記載のダスト低減装置において、前記空気供給装置は、前記圧縮機の下流に設けられた空気タンクと、該空気タンクの下流に設けられた開閉弁とをさらに含み、前記制御装置によって前記開閉弁が制御される。
【００２８】
請求項１０記載のダスト低減装置では、圧縮機とエアカーテンの吹出部との間に空気タンク及び開閉弁がこの順で設けられている。そして、ドア開口部の閉止状態では、制御装置によって開閉弁（空気流路）が閉止されて空気タンクに圧縮空気が蓄えられ、ドア開口部の開放状態では制御装置によって開閉弁が開放されてエアカーテンが形成される。このため、圧縮空気の容量が確保され、所定時間に亘り十分な強さのエアカーテンを形成する（形成状態を維持する）ことができ、車室内へのダスト類の侵入を確実に防止することができる。また、ドア開口部の開放時に圧縮機を起動する必要がないので、速やかにエアカーテンが形成される。本構成のダスト低減装置は、特に、ドア開口部の開口面積が大きいミニバンやＳＵＶ等の車種に好適に適用される。
【００２９】
請求項１１記載の発明に係るダスト低減装置は、請求項７乃至請求項１０の何れか１項記載のダスト低減装置において、前記エア吹出部は、車体におけるドア開口部の上縁を規定するピラー及びルーフサイド部にそれぞれ設けられ、下方に向けて空気を吹き出して前記エアカーテンを形成する。
【００３０】
請求項１１記載のダスト低減装置では、ドア開口部の上縁を規定するピラー（（特に、フロントピラーまたはリヤピラー等の傾斜したピラー）とルーフサイド部とにそれぞれ設けられた吹出部から、主に下向きに空気を吹き出してエアカーテンを形成する。このため、エアカーテンの空気流が乗降する人の顔面を直撃することがない。
【００３１】
請求項１２記載の発明に係るダスト低減装置は、請求項７乃至請求項１１の何れか１項記載のダスト低減装置において、前記制御装置は、前記ドアによる前記ドア開口部の開閉状態に応じた信号を出力するドア開閉検出器から前記ドア開口部の開放状態に対応する信号が入力されたときに、前記空気供給装置から前記エア吹出部への空気供給を行なわせ、前記ドア開閉検出器から前記ドアの閉塞状態に対応する信号が入力されたときに、前記空気供給装置から前記エア吹出部への空気供給を停止させる。
【００３２】
請求項１２記載のダスト低減装置では、制御装置は、ドアの開閉状態に応じた信号を出力するドア開閉検出器から入力される信号がドア開口部の開放状態に対応する信号であるときに空気供給装置からエア吹出口への空気供給を行なわせる。これにより、エアカーテンが形成されて車室内へのダスト類の侵入が防止される。一方、制御装置は、ドア開閉検出器から入力される信号がドア開口部のドアによる閉止状態に対応する信号であるときには、空気供給装置からエア吹出口への空気供給を停止する。これにより、ドア開口部の開放時にのみ確実にエアカーテンが形成されて車室内へのダスト類の侵入が防止される。ドア開閉検出器として、例えば室内灯の点滅制御用のカーテシスイッチを用いることができる。
【００３３】
請求項１３記載の発明に係るダスト低減装置は、請求項１乃至請求項１２の何れか１項記載のダスト低減装置において、車両に搭載され、車体外側に向けて空気を吹き出して乗車前の人の着衣に付着したダストを除去するエアノズルを備えた。
【００３４】
請求項１３記載のダスト低減装置では、車両への乗車前の人がエアノズルから吹き出す（噴出する）空気を浴びて、着衣に付着したダスト類を除去する。そして、この人は、エアカーテンを通過して乗車する。これにより、車室外の空気中に含まれるダスト類のみならず、乗員の着衣に付着したダスト類が車室内に侵入することが防止され、車室内におけるダスト類の量が一層低減される。なお、エアカーテンを形成する空気とエアノズルから吹き出す空気とを共通の空気源（好ましくは、圧縮空気）から得るように構成すれば、部品点数の削減がされ好ましい。
【００３５】
上記目的を達成するために請求項１４記載の発明に係るダスト低減装置は、車両に搭載され、車体外側に向けて空気を吹き出して乗車前の人の着衣に付着したダスト類を除去するエアノズルを備えた。
【００３６】
請求項１４記載のダスト低減装置では、車両への乗車前の人がエアノズルから吹き出す（噴出する）空気を浴びて、着衣に付着したダスト類を除去する。これにより、人の着衣に付着したダスト類が該人の乗車に伴ってドア開口部から車室内に侵入することが防止される。
【００３７】
このように、請求項１４記載のダスト低減装置では、花粉等のダスト類がドア開口部から車室内へ侵入することを抑制することができる。なお、エアノズルから吹き出す空気源は、圧縮機等や空気タンクの圧縮空気とすることが好ましい。
【００３８】
請求項１５記載の発明に係るダスト低減装置は、請求項１３または請求項１４記載のダスト低減装置において、前記エアノズルを、車体におけるドア開口部を開閉するドアにおける上下方向に沿う縁部に設けた。
【００３９】
請求項１５記載のダスト低減装置では、ドア開口部を開閉するドアの縁部にエアノズルを設けられており、ドア開口部の開放状態でドアに設けたエアノズルから空気が吹き出される。ここで、ドアの上下方向に沿う縁部にエアノズルを設けたため、換言すれば、人の長手方向に沿ってエアノズルを設けたため、乗車前の立位の人に対し広範囲に亘り空気を吹き付けて、人があまり動くことなく該人に付着したダスト類を効果的に除去することが可能となる。
【００４０】
請求項１６記載の発明に係るダスト低減装置は、請求項１３または請求項１４記載のダスト低減装置において、前記エアノズルを、車体に対し着脱可能とし、かつ車体から離脱した状態で空気を吹出可能とした。
【００４１】
請求項１６記載のダスト低減装置では、エアノズルの先端が車体に対し着脱可能であるため、乗車前の人は、所望の姿勢や位置をとるエアノズルから空気を浴びることができ、着衣の各部に付着したダスト類を効果的に除去することができる。
【発明の効果】
【００４２】
以上説明したように本発明に係るダスト低減装置は、花粉等のダスト類がドア開口部から車室内へ侵入することを抑制することができるという優れた効果を有する。
【発明を実施するための最良の形態】
【００４３】
（第１の実施形態）
本発明の第１の実施形態に係るダスト低減装置としてのエアカーテン形成装置１０が車両としての自動車に適用された例について、図１乃至図３に基づいて説明する。
【００４４】
図１には、エアカーテン形成装置１０の作動状態が斜視図にて示されており、図２には、エアカーテン形成装置１０の概略全体構成が模式図にて示されている。これらの図に示される如く、エアカーテン形成装置１０は、自動車の車体Ｂにおける車室の内外を連通するドア開口部１２の開口面に沿ってエアカーテンＣを形成する装置であって、このエアカーテンＣによってドア開口部１２の開放時に車室の内外を仕切る（区切る）ようになっている。
【００４５】
図３にも示される如く、本第１の実施形態では、自動車の車体Ｂのドア開口部１２は、ドア１４によって開閉されるようになっており、その上縁がＡピラー１６及びルーフサイドレール１８によって規定されている。また、ドア開口部１２の下縁は、ロッカ（サイドシル）２０によって規定されている。
【００４６】
そして、エアカーテン形成装置１０は、Ａピラー１６及びルーフサイドレール１８に設けられたエア吹出部２２を備えている。エア吹出部２２は、それぞれ中空構造（図示省略）とされたＡピラー１６及びルーフサイドレール１８の長手方向に沿って配置された多数の吹出孔２２Ａによって構成されている。本第1の実施形態では、Ａピラー１６及びルーフサイドレール１８の内部が互いに連通されている。このエア吹出部２２は、多数の吹出孔２２Ａから同時にかつ連続的に、ロッカ２０に向けて空気を吹き出すことで、車室の内外を仕切るエアカーテンＣを形成する構成とされている。エア吹出部２２は、例えばＡピラー１６及びルーフサイドレール１８の長手方向に沿って設けられた単一または複数のスリットにて構成されても良い。
【００４７】
このエアカーテン形成装置１０は、車載空調装置２４からエア吹出部２２に空気を供給させるようになっている。車載空調装置２４は、内気または外気が導入される空調用ダクト２６内に空調用送風機（ブロワ）２８が配設されており、この空調用送風機２８の作動によって、エバポレータやヒータコア等の室内熱交換器３０を通じて空調された空気が車室内に送風されるようになっている。
【００４８】
エアカーテン形成装置１０は、空調用ダクト２６とエア吹出部２２（Ａピラー１６、ルーフサイドレール１８の各内部）とを連通するエア供給路３２を備えている。エア供給路３２は、例えば、一端部が空調用ダクト２６に接続されると共に他端部がＡピラー下部または上部に接続されたホースやチューブ等のフレキシブルな配管部材にて構成しても良く、その一部を車体Ｂの中空構造部分を利用して構成しても良い。
【００４９】
さらに、エアカーテン形成装置１０は、空調用ダクト２６とエア吹出部２２との連通状態と連通遮断状態とを選択的に切り替える開閉装置３４を備えている。すなわち、開閉装置３４は、エア供給路３２の端部または中間部に設けられ、該エア供給路３２を開閉する開閉弁として機能するようになっている。これにより、エアカーテン形成装置１０は、エアカーテンＣを形成する必要のないときに、空調用送風機２８によって送風される空気をエア吹出部２２に供給することを防止することができる構成とされている。
【００５０】
以上説明したエアカーテン形成装置１０は、自動車への乗降に伴ってドア開口部１２が開放されたときにエアカーテンＣを形成するように、本発明における制御装置としての機能を組み込んだ空調ＥＣＵ３６によって制御されるようになっている。空調ＥＣＵ３６は、空調用送風機２８の駆動モータ２８Ａに電気的に接続されており、車載空調装置２４の通常の制御を行なうようになっている。この制御については説明を省略する。
【００５１】
そして、本第１の実施形態では、空調ＥＣＵ３６は、開閉装置３４、及びカーテシスイッチ３８とそれぞれ電気的に接続されている。カーテシスイッチ３８は、ドア１４の操作時に車内灯等を点灯するためにドア１４によるドア開口部１２の開閉に応じた信号（ＯＮ／ＯＦＦ信号でも良い）を出力するスイッチであり、本発明におけるドア開閉検出器に相当する。
【００５２】
空調ＥＣＵ３６は、カーテシスイッチ３８からドア開口部１２が開放されていることに対応する信号（以下、開信号という）が入力されると、駆動モータ２８Ａを駆動すると共に、開閉装置３４を作動してエア供給路３２を開放するようになっている。これにより、車載空調装置２４から空調用送風機２８の送風する空気が連続的にエア吹出部２２に供給され、エアカーテンＣが形成される構成である。
【００５３】
一方、空調ＥＣＵ３６は、カーテシスイッチ３８からドア開口部１２が閉止されたことに対応する信号（以下、閉信号という）が入力されると、駆動モータ２８Ａを停止すると共に、開閉装置３４を切り替えてエア供給路３２を遮断（閉塞）するようになっている。なお、車載空調装置２４の作動中にドア開口部１２が開閉される場合は、駆動モータ２８Ａの駆動状態は維持されつつ送風の強さが制御される。ドア開口部１２が開放されたときはエアカーテン用の風量分通常の風量よりも多くなるように制御される。
【００５４】
以上説明したエア吹出部２２、エア供給路３２、開閉装置３４、カーテシスイッチ３８は、それぞれ自動車の車体Ｂにおけるドア開口部１２毎に（ドア開口部１２の数だけ）設けられており、乗降に伴って開放された各ドア開口部１２にそれぞれエアカーテンＣを形成するようになっている。
【００５５】
次に、本第１の実施形態の作用を説明する。
【００５６】
上記構成のエアカーテン形成装置１０が適用された自動車では、乗車時にドア１４を開位置に移動してドア開口部１２を開放すると、カーテシスイッチ３８から空調ＥＣＵ３６に開信号が入力される。すると、空調ＥＣＵ３６は、駆動モータ２８Ａを駆動して空調用送風機２８を作動させると共に、開放されたドア開口部１２に対応する開閉装置３４を作動してエア供給路３２を開放させる。これにより、空調用ダクト２６からエア供給路３２を経由してエア吹出部２２に供給された空気が、図１に示される如く各吹出孔２２Ａから連続的に吹き出されて開放されたドア開口部１２にエアカーテンＣが形成される。
【００５７】
このエアカーテンＣによって車室の内外が仕切られるので、車室外の空気、すなわち車室外の空気中に浮遊している花粉（ダスト類）が、開放されているドア開口部１２を経由して車室内に侵入することが防止される。また、車室内外をエアカーテンＣが仕切るため、乗車の動作が阻害されることもない。また、降車時にドア１４を開位置に移動してドア開口部１２を開放した場合には、上記乗車時の場合と同様にエアカーテンＣが形成されて、車室外の空気中に浮遊している花粉（ダスト類）が、ドア開口部１２を経由して車室内に侵入することが防止される。このエアカーテンＣが降車の動作を阻害することもない。
【００５８】
ドア１４を閉位置に移動してドア開口部１２を閉止すると、カーテシスイッチ３８から空調ＥＣＵ３６に閉信号が入力され、空調ＥＣＵ３６は、駆動モータ２８Ａを停止すると共に開閉装置３４を作動してエア供給路３２を遮断する。これにより、エアカーテンＣが形成されなくなり、空調用送風機２８を車載空調装置２４のために（のみ）使用する状態に切り替わる。
【００５９】
このように、本第１の実施形態に係るエアカーテン形成装置１０では、花粉がドア開口部１２から車室内へ侵入することを抑制することができ、該エアカーテン形成装置１０が適用された自動車の車室内の花粉の量を低減することができる。
【００６０】
また、エアカーテン形成装置１０では、車載空調装置２４の空調用送風機２８によって送風される空気を用いてエアカーテンＣを形成するため、専用の送風機を備えることなく、花粉がドア開口部１２から車室内へ侵入することを抑制する機能が実現されている。
【００６１】
さらに、エア吹出部２２がドア開口部の上縁を構成するＡピラー１６、ルーフサイドレール１８に沿って設けられ、主に下向きに空気を吹き出してエアカーテンＣを形成するため、このエアカーテンＣの空気流が乗降する人の顔面を直撃することがない。このため、乗降する人に違和感や拒否感を与えることが防止される。
【００６２】
さらにまた、エアカーテン形成装置１０は、カーテシスイッチ３８から入力する信号に基づき作動時期が制御されるため、車室内に花粉が侵入する恐れのあるドア開口部１２の開放時にのみ作動してエアカーテンＣを形成し、車室内への花粉の侵入を確実に防止することができる。
【００６３】
なお、上記第１の実施形態では、エアカーテン形成装置１０が空調ＥＣＵ３６にて制御される構成としたが、本発明はこれに限定されず、例えば、エアカーテン形成装置１０が空調ＥＣＵ３６から一部または全部が独立した専用の制御装置によって制御されるようにしても良い。
【００６４】
（第２の実施形態）
本発明の第２の実施形態に係るダスト低減装置としてのエアカーテン形成装置５０について、図４及び図５に基づいて説明する。なお、上記第１の実施形態と基本的同一の部品・部分については、上記第１の実施形態と同一の符号を付して説明を省略する。
【００６５】
図４には、エアカーテン形成装置５０の概略全体構成がブロック図にて示されている。この図に示される如く、エアカーテン形成装置５０は、ドア開口部１２の上縁に沿って設けられたエア吹出部２２から吹き出す空気によってエアカーテンＣを形成する点でエアカーテン形成装置１０と共通するが、圧縮空気を用いてエアカーテンＣを形成する点でエアカーテン形成装置１０とは異なる。以下、具体的に説明する。
【００６６】
エアカーテン形成装置５０は、圧縮空気源である圧縮機としてのコンプレッサ５２と、コンプレッサ５２と連通され該コンプレッサ５２から供給された圧縮空気を蓄える空気タンク５４とを備えている。空気タンク５４は、エアホース５６を介してエア吹出部２２（Ａピラー１６、ルーフサイドレール１８の内部空間）と連通されている。このエアホース５６には、電磁開閉弁５８が設けられており、エアホース５６を開閉することで、空気タンク５４とエア吹出部２２との連通状態と連通遮断状態とを選択的に切り替えるようになっている。
【００６７】
コンプレッサ５２、空気タンク５４は、図５に示される如く、自動車のインストルメントパネル６０内部に配置されている。また、第１の実施形態と同様に、エア吹出部２２、エアホース５６、電磁開閉弁５８はそれぞれドアの数に対応して設けられている。電磁開閉弁５８は、インストルメントパネル６０の内部に配置されても良く、対応するドア開口部１２の近傍に配置されても良い。
【００６８】
そして、エアカーテン形成装置５０は、花粉低減ＥＣＵ６２を備えている。花粉低減ＥＣＵ６２は、コンプレッサ５２、電磁開閉弁５８、カーテシスイッチ３８、及び圧力センサ６４と電気的に接続されている。圧力センサ６４は、空気タンク５４自体またはエアホース５６における空気タンク５４と電磁開閉弁５８との間に設けられ、空気タンク５４の圧力に応じた信号を花粉低減ＥＣＵ６２に出力するようになっている。
【００６９】
このエアカーテン形成装置５０は、圧力センサ６４から入力する圧力信号が空気タンク５４内の圧力が所定の圧力未満であることに対応する信号である場合には、コンプレッサ５２を作動して空気タンク５４内の空気圧力を所定の圧力以上の圧力に維持するようになっている。本第２の実施形態では、コンプレッサ５２は電動とされ、エンジンとは独立して駆動可能とされている。また、花粉低減ＥＣＵ６２は、カーテシスイッチ３８から開信号が入力すると電磁開閉弁５８を開状態に切り替え、カーテシスイッチ３８から閉信号が入力すると電磁開閉弁５８を閉状態に切り替えるようになっている。なお、電磁開閉弁５８の開放中にもコンプレッサ５２が作動する場合があることは言うまでもない。
【００７０】
次に、本第２の実施形態の作用を説明する。
【００７１】
上記構成のエアカーテン形成装置５０が適用された自動車では、空気タンク５４内に所定の圧力以上とされた圧縮空気が蓄えられている。そして、乗車時にドア１４を開位置に移動してドア開口部１２を開放すると、カーテシスイッチ３８から花粉低減ＥＣＵ６２に開信号が入力される。すると、花粉低減ＥＣＵ６２は、開放されたドア開口部１２に対応する電磁開閉弁５８すなわちエアホース５６を開放状態に切り替える。これにより、空気タンク５４からエアホース５６を経由してエア吹出部２２に供給された空気が、図１に示される如く各吹出孔２２Ａから連続的に吹き出され、開放されたドア開口部１２にエアカーテンＣが形成される。
【００７２】
このエアカーテンＣによって車室の内外が仕切られるので、車室外の空気、すなわち車室外の空気中に浮遊している花粉（ダスト類）が、開放されているドア開口部１２を経由して車室内に侵入することが防止される。また、車室内外をエアカーテンＣが仕切るため、乗車の動作が阻害されることもない。また、降車時にドア１４を開位置に移動してドア開口部１２を開放した場合には、上記乗車時の場合と同様にエアカーテンＣが形成されて、車室外の空気中に浮遊している花粉（ダスト類）が、ドア開口部１２を経由して車室内に侵入することが防止される。このエアカーテンＣが降車の動作を阻害することもない。
【００７３】
ドア１４を閉位置に移動してドア開口部１２を閉止すると、カーテシスイッチ３８から空調ＥＣＵ３６に閉信号が入力され、花粉低減ＥＣＵ６２は、電磁開閉弁５８を閉状態に切り替える。これにより、エアカーテンＣが形成されなくなり、空気タンク５４内の圧縮空気を保持する状態に切り替わる。
【００７４】
このように、本第２の実施形態に係るエアカーテン形成装置５０では、花粉がドア開口部１２から車室内へ侵入することを抑制することができ、該エアカーテン形成装置５０が適用された自動車の車室内の花粉の量を低減することができる。
【００７５】
また、エアカーテン形成装置５０では、圧縮空気を用いてエアカーテンＣを形成するため、送風機を空気源とする構成と比較して強いエアカーテンＣを形成することができる。このため、強風環境下でドア開口部１２を開放した場合にも、車室内への花粉の侵入を効果的に抑制することができる。また、空気源として専用のコンプレッサ５２を備えるため、エアカーテンＣの仕様（吹出圧、吹出速度、吹出量等）の設定が容易である。特に、エアカーテン形成装置５０が空気タンク５４を備えるため、圧縮空気の容量が確保され、所定時間に亘り十分な強さのエアカーテンを形成する（形成状態を維持する）ことができる。また、ドア開口部１２の開放時にコンプレッサ５２を起動する必要がないため、エアカーテンＣがドア開口部１２の開放とほぼ同時に速やかに形成される。さらに、複数のドア開口部１２が同時に開放された場合でも、それぞれのドア開口部１２に十分な強さを有するエアカーテンＣを確実に形成することができる。これらにより、車室内への花粉の侵入を確実に防止することができる。
【００７６】
さらに、エア吹出部２２がドア開口部の上縁を構成するＡピラー１６、ルーフサイドレール１８に沿って設けられ、主に下向きに空気を吹き出してエアカーテンＣを形成するため、このエアカーテンＣの空気流が乗降する人の顔面を直撃することがない。このため、乗降する人に違和感や拒否感を与えることが防止される。さらにまた、エアカーテン形成装置１０は、カーテシスイッチ３８から入力する信号に基づき作動時期が制御されるため、車室内に花粉が侵入する恐れのあるドア開口部１２の開放時にのみ作動してエアカーテンＣを形成し、車室内への花粉の侵入を確実に防止することができる。
【００７７】
なお、上記第２の実施形態では、エアカーテン形成装置５０が空気タンク５４を備える好ましい構成としたが、本発明はこれに限定されず、例えば、コンプレッサ５２の圧縮空気を直接的にエア吹出部２２に供給するようにしても良い。また、花粉低減ＥＣＵ６２は、専用の制御装置であることには限定されず、例えば、花粉除去機能を有する車載空調装置の制御回路に組み込まれてこれらと協調的に制御されるように構成されても良い。また、本発明はコンプレッサ５２、空気タンク５４の配置によって限定されることはない。
【００７８】
（第３の実施形態）
本発明の第３の実施形態に係るダスト低減装置としてのエアシャワー装置７０について、図６に基づいて説明する。なお、上記第１または第２の実施形態と基本的同一の部品・部分については、上記第１または第２の実施形態と同一の符号を付して説明を省略する。
【００７９】
図６には、エアシャワー装置７０の作動状態が斜視図にて示されている。この図に示される如く、エアシャワー装置７０は、車室外に向けた空気流であるエアシャワーを乗車前の人に吹き付ける装置であって、該乗車前の人の着衣等に付着した花粉を吹き飛ばすようになっている。
【００８０】
このエアシャワー装置７０は、ドア１４の後端に開口するエアノズル７２を備えており、このエアノズル７２から吹き出す空気がエアシャワーＳを形成する構成である。エアノズル７２は、それぞれ中空構造（図示省略）のドア本体１４Ａの後端、ドアサッシ１４Ｂの後端に、それぞれ上下方向に沿って複数設けられており、人の上部（頭部側）から下部（足側）にかけての広範囲に亘り、エアシャワーＳを形成するようになっている。
【００８１】
本第３の実施形態では、エアシャワー装置７０がエアカーテン形成装置５０と共に自動車に適用されており、各エアノズル７２へは、空気タンク５４から図示しないエア供給路を通じて圧縮空気が供給される構成とされている。このエア供給路は、電磁開閉弁５８の下流でエアホース５６から分岐している。これにより、ドア開口部１２を開放する開位置に位置するドア１４の各エアノズル７２から自動的に圧縮空気が吹き出してエアシャワーＳが形成されるようになっている。車体側に配置された空気タンク５４とドア１４のエアノズル７２とを連通するエア供給路は、例えば、車体に設けた空調装置の空調エアをドア内部を通して車室側部に導く公知の構成と同様に構成することができる。
【００８２】
次に、本第３の実施形態の作用を説明する。
【００８３】
上記構成のエアシャワー装置７０がエアカーテン形成装置５０と共に適用された自動車では、乗車時にドア１４を開位置に移動してドア開口部１２を開放すると、カーテシスイッチ３８から花粉低減ＥＣＵ６２に開信号が入力される。すると、花粉低減ＥＣＵ６２は、開放されたドア開口部１２に対応する電磁開閉弁５８すなわちエアホース５６を開放状態に切り替える。これにより、空気タンク５４からエアホース５６を経由してエア吹出部２２に供給された空気が、各吹出孔２２Ａから連続的に吹き出され、開放されたドア開口部１２にエアカーテンＣが形成される。また、エアホース５６から分岐したエア供給路を経由した空気は各エアノズル７２から吹き出されてエアシャワーＳを形成する。乗車前の人は、このエアシャワーＳを浴びる位置に立ち、適宜姿勢を変えながらエアシャワーＳによって着衣や体表に付着した花粉を吹き飛ばさせる。
【００８４】
その後、この人は、エアカーテンＣが形成されているドア開口部１２から車内に乗り込み、ドア１４を閉位置に移動してドア開口部１２を閉止する。すると、カーテシスイッチ３８から空調ＥＣＵ３６に閉信号が入力され、花粉低減ＥＣＵ６２は、電磁開閉弁５８を閉状態に切り替える。これにより、エアカーテンＣ、エアシャワーＳが形成されなくなり、空気タンク５４内の圧縮空気を保持する状態に切り替わる。
【００８５】
このように、本第３の実施形態に係るエアシャワー装置７０では、人に付着した花粉がドア開口部１２から車室内へ侵入すること（人が花粉を持ちこむこと）を抑制することができ、該エアシャワー装置７０が適用された自動車の車室内の花粉の量を低減することができる。また、ドア１４の後縁部に上下方向に沿って複数のエアノズル７２を設けたため、人の顔に近い比較的高い部分から人の足に近い比較的低い部分にかけての上下方向各部に付着した花粉を、人があまり動くことなく効果的に除去することができる。
【００８６】
しかも、この自動車では、エアシャワー装置７０と共にエアカーテン形成装置５０が適用されているため、エアカーテンＣによって、車室外の空気中を浮遊（飛散）している花粉が車室内に侵入することが確実に防止される。なお、エアカーテン形成装置５０自体の効果は、上記第２の実施形態と同様であるため説明を省略する。
【００８７】
なお、上記第３の実施形態では、ドア１４の後端の略全高に亘りエアノズル７２が設けられた構成としたが、本発明はこれに限定されず、上下方向の一部にのみエアノズル７２が設けられても良い。また、エアシャワーの吹き出し部位は、ドア１４の後端に限定されることはなく、例えば、ドアトリムの上部から吹き出すように構成しても良い。さらに、エアシャワーに吹き出し方向を切り替えるルーバ等の風向切り替え手段を設けても良い。
【００８８】
（第４の実施形態）
本発明の第４の実施形態に係るダスト低減装置としてのエアシャワー装置８０について、図７に基づいて説明する。なお、上記第１乃至第３の実施形態と基本的同一の部品・部分については、上記第１乃至第３の実施形態と同一の符号を付して説明を省略する。
【００８９】
図７には、エアシャワー装置８０の使用状態が斜視図にて示されている。この図に示される如く、エアシャワー装置８０は、車室外に向けた空気流であるエアシャワーＳを乗車前の人に吹き付ける点でエアシャワー装置７０と共通するが、着脱式のエアノズル８２を備える点でエアシャワー装置７０とは異なる。
【００９０】
エアノズル８２は、フレキシブルなエアホース８４の先端に固定されており、ドア１４の内面に設けた保持部（図示省略）に着脱可能とされている。エアノズル８２をドア１４に保持させた状態では、エアホース８４は、ドア本体１４Ａ内に収容可能であることが好ましい。このエアシャワー装置８０では、乗車前の人がエアノズルを把持しながら、着衣や体表に付着した花粉をエアシャワーＳによって吹き飛ばすようになっている。
【００９１】
このエアシャワー装置８０は、エアカーテン形成装置５０と共に自動車に適用されており、空気タンク５４から供給される圧縮空気をエアノズル８２から吹き出してエアシャワーＳを形成するようになっている。すなわち、エアホース８４（エアノズル８２）は、上記第３の実施形態に係るエアノズル７２と同様のエア供給路によって、空気タンク５４と接続されている。
【００９２】
また、本第４の実施形態では、エア供給路には電磁開閉弁５８とは別に電磁開閉弁が設けられており、この電磁開閉弁の開閉を切り替えるスイッチがエアノズル８２における該エアノズル８２を把持した人が操作しやすい位置に設けられている。この電磁開閉弁は、通常はエア供給路を閉塞し、上記スイッチが操作されるとエア供給路を開放するようになっている。これにより、ドア開口部１２が開放されると電磁開閉弁５８が開いてエアノズル８２に圧縮空気の供給可能な状態となり、この後さらに上記スイッチを手動操作することで、エアノズル８２からエアシャワーＳが吹き出す構成とされている。
【００９３】
次に、本第４の実施形態の作用を説明する。
【００９４】
上記構成のエアシャワー装置８０がエアカーテン形成装置５０と共に適用された自動車では、乗車時にドア１４を開位置に移動してドア開口部１２を開放すると、カーテシスイッチ３８から花粉低減ＥＣＵ６２に開信号が入力される。すると、花粉低減ＥＣＵ６２は、開放されたドア開口部１２に対応する電磁開閉弁５８すなわちエアホース５６を開放状態に切り替える。これにより、空気タンク５４からエアホース５６を経由してエア吹出部２２に供給された空気が、各吹出孔２２Ａから連続的に吹出され、開放されたドア開口部１２にエアカーテンＣが形成される。
【００９５】
そして、乗車する前の人がエアホース８４をドア本体１４Ａから引き出しつつエアノズル８２をドア１４の保持部から取り外し、このエアノズル８２に設けたスイッチを操作すると、エアノズル８２から圧縮空気が吹き出してエアシャワーＳが形成される。乗車前の人は、その体に対するエアノズル８２の位置や向きを適宜変更しつつエアシャワーＳを浴び、このエアシャワーＳによって着衣や体表に付着した花粉を吹き飛ばさせる。
【００９６】
その後、この人は、エアカーテンＣが形成されているドア開口部１２から車内に乗り込み、ドア１４を閉位置に移動してドア開口部１２を閉止する。すると、カーテシスイッチ３８から空調ＥＣＵ３６に閉信号が入力され、花粉低減ＥＣＵ６２は、電磁開閉弁５８を閉状態に切り替える。これにより、エアカーテンＣ、エアシャワーＳが形成されなくなり、空気タンク５４内の圧縮空気を保持する状態に切り替わる。
【００９７】
このように、本第４の実施形態に係るエアシャワー装置８０では、人に付着した花粉がドア開口部１２から車室内へ侵入すること（人が花粉を持ちこむこと）を抑制することができ、該エアシャワー装置８０が適用された自動車の車室内の花粉の量を低減することができる。また、エアノズル８２がドア１４に対し着脱可能とされ、かつドア１４から離脱したエアノズル８２からエアシャワーＳを形成することができるため、乗車前の人は、所望の姿勢や位置をとるエアノズル８２からエアシャワーＳを浴びることができ、着衣や体表の各部に付着した花粉を効果的に除去することができる。
【００９８】
しかも、この自動車では、エアシャワー装置７０と共にエアカーテン形成装置５０が適用されているため、エアカーテンＣによって、車室外の空気中を浮遊（飛散）している花粉が車室内に侵入することが確実に防止される。なお、エアカーテン形成装置５０自体の効果は、上記第２の実施形態と同様であるため説明を省略する。
【００９９】
なお、上記第３または第４の実施形態では、エアシャワー装置７０、８０がエアカーテン形成装置５０と空気源を共用する構成としたが、本発明はこれに限定されず、エアシャワー装置７０、８０は、例えば、独立の空気源を備えて構成されても良い。また、自動車は、エアカーテン形成装置５０を設けることなくエアシャワー装置７０またはエアシャワー装置８０のみを適用しても良く、エアシャワー装置７０またはエアシャワー装置８０とエアカーテン形成装置１０とを共に適用して構成されても良い。また例えば、エアシャワー装置７０に手動でエアシャワーＳの吹き出しの有無を切り替えるスイッチを設けても良く、ドア開口部１２の開放状態ではエアシャワー装置８０のエアノズル８２から常にエアシャワーＳが吹き出す構成としても良い。
【０１００】
また、上記の各実施形態では、車体Ｂのドア開口部１２を開閉するドア１４がヒンジ式のドアである構成としたが、本発明はこれに限定されず、例えばドア開口部１２がスライド式のドアによって開閉される構成であっても良い。また、ドア開口部１２は乗降用のドア開口部であることに限定されることはなく、例えば、バックドアによって開閉されるバックドア開口部にエアカーテン形成装置１０、５０を適用しても良い。
【０１０１】
さらに、上記の各実施の形態では、ダスト類としての花粉の車室内への侵入が抑制される例を示したが、上記各種装置によって、花粉の他に空気中に飛散し、または空気中を浮遊する各種ダスト類の車室内への侵入を抑制することができる。
【図面の簡単な説明】
【０１０２】
【図１】本発明の第１の実施形態に係るエアカーテン形成装置がエアカーテンを形成した状態を示す斜視図である。
【図２】本発明の第１の実施形態に係るエアカーテン形成装置の概略全体構成を示す模式図である。
【図３】本発明の第１の実施形態に係るエアカーテン形成装置を構成するエア吹出部を示す斜視図である。
【図４】本発明の第２の実施形態に係るエアカーテン形成装置の概略全体構成を示すブロック図である。
【図５】本発明の第２の実施形態に係るエアカーテン形成装置を構成するコンプレッサ及び空気タンクの概略配置を示す斜視図である。
【図６】本発明の第３の実施形態に係るエアシャワー装置を示す斜視図である。
【図７】本発明の第４の実施形態に係るエアシャワー装置を示す斜視図である。
【符号の説明】
【０１０３】
１０    エアカーテン形成装置（ダスト低減装置）
１２    ドア開口部
１４    ドア
１６    Ａピラー（ピラー）
１８    ルーフサイドレール部（ルーフサイド部）
２２    エア吹出部
２４    車載空調装置
２８    空調用送風機（送風機、空気供給装置）
３６    空調ＥＣＵ（制御装置）
３８    カーテシスイッチ（ドア開閉検出器）
５０    エアカーテン形成装置（ダスト低減装置）
５２    コンプレッサ（圧縮機、空気供給装置）
５４    空気タンク（空気供給装置）
５８    電磁開閉弁（開閉弁、空気供給装置）
６２    花粉低減ＥＣＵ（制御装置）
７０    エアシャワー装置（ダスト低減装置）
７２    エアノズル
８０    エアシャワー装置（ダスト低減装置）
８２    エアノズル
【図１】
2006001493.tif 000003
【図２】
2006001493.tif 000004
【図３】
2006001493.tif 000005
【図４】
2006001493.tif 000006
【図５】
2006001493.tif 000007
【図６】
2006001493.tif 000008
【図７】
2006001493.tif 000009